(57)【要約】【課題】運転中の着信に対して、緊急性又は重要性を識別可能に運転者に折り返し電話の提案ができるナビゲーションシステムを提供する。【解決手段】ユーザインタフェース１１０及び演算制御処理部１２０を備え、移動体電話機１０が接続され、ユーザインタフェース１１０が、時間及び回数の設定値をユーザに入力させる入力手段１１１と表示手段１１２とスピーカ１１３とを有し、演算制御処理部１２０が、上記の設定値、着信リスト、折り返し電話先リスト等を記憶する記憶手段１２１と、移動体電話機１０を制御する移動体電話制御手段１２２と、着信リスト中の同一相手からの着信が設定時間内に設定回数以上あったか否かに基づいて、折り返し電話をすることが必要か否かを判断し、必要とされた相手を折り返し電話先リストに記憶させる演算処理手段１２３と、応答メッセージ及び折り返し電話をすべき旨の提案メッセージを生成する音声生成手段１２４とを有する。【選択図】図１
2007240452.tif 000002
【特許請求の範囲】
【請求項１】
ユーザインタフェース及び演算制御処理部を備え、移動体電話機が接続可能なナビゲーションシステムであって、
前記ユーザインタフェースが、
少なくとも、設定時間及び設定回数を含む設定値をユーザに入力させる入力手段と、スピーカとを有し、
前記演算制御処理部が、
少なくとも、前記入力手段を介して入力された設定値、前記移動体電話機にあった着信の相手及び着信時間に関する着信情報を含む着信リスト、及び折り返し電話をする相手の折り返し電話先リストを記憶する記憶手段と、
前記移動体電話機を制御して、少なくとも回線の接続及び切断並びに音声の再生を行わせ、前記着信情報を前記着信リストに更新して記憶させる移動体電話制御手段と、
前記着信リスト中の同一相手からの着信が前記設定時間内に前記設定回数以上あったか否かに基づいて、折り返し電話をすることが必要か否かを判断し、必要と判断したときに必要とされた相手を前記折り返し電話先リストに記憶させる演算処理手段と、
着信に応じて前記移動体電話機に再生させる音声の応答メッセージを生成し、前記スピーカに再生させる折り返し電話をすべき旨の提案メッセージを生成する音声生成手段と、
を有することを特徴とするナビゲーションシステム。
【請求項２】
ユーザインタフェース及び演算制御処理部を備え、移動体電話機が接続可能なナビゲーションシステムであって、
前記ユーザインタフェースが、
少なくとも、特定の着信相手をユーザに入力させる入力手段と、スピーカとを有し、
前記演算制御処理部が、
少なくとも、前記入力手段を介して入力された前記特定の着信相手の特定者リスト、前記移動体電話機にあった着信の相手及び着信時間に関する着信情報を含む着信リスト、及び折り返し電話をする相手の折り返し電話先リストを記憶する記憶手段と、
前記移動体電話機を制御して、少なくとも回線の接続及び切断並びに音声の再生を行わせ、前記着信情報を前記着信リストに更新して記憶させる移動体電話制御手段と、
前記着信リスト中の着信相手が前記特定者リスト中のいずれかの前記特定の着信相手であるか否かに基づいて、折り返し電話をすることが必要か否かを判断し、必要と判断したときに必要とされた相手を前記折り返し電話先リストに記憶させる演算処理手段と、
着信に応じて前記移動体電話機に再生させる音声の応答メッセージを生成し、前記スピーカに再生させる折り返し電話をすべき旨の提案メッセージを生成する音声生成手段と、
を有することを特徴とするナビゲーションシステム。
【請求項３】
前記ユーザインタフェースが表示手段を有し、前記折り返し電話をすべき旨の提案するときに、前記折り返し電話先リストの一部又は全部を前記表示手段に表示することを特徴とする請求項１または請求項２に記載のナビゲーションシステム。
【請求項４】
前記記憶手段が地図情報を記憶し、前記演算制御処理部が、現在位置を取得する現在位置取得手段と、前記地図情報及び前記現在位置に基づいて最寄りの駐車場施設までの経路を探索する経路探索手段と、を有し、前記現在位置から前記駐車場施設までの経路を前記表示手段に表示することを特徴とする請求項３に記載のナビゲーションシステム。
【発明の詳細な説明】
【技術分野】
【０００１】
本発明は、車両に搭載されるナビゲーションシステムに関し、特に移動体電話機が接続され、運転中にあった着信に応じて所定の処理を行うナビゲーションシステムに関する。
【背景技術】
【０００２】
従来、車両に搭載されるナビゲーションシステムは、移動体電話機を接続することが可能で、運転中にかかってきた電話に対して、運転者の代わりに応答する構成のものが知られている（例えば、特許文献１参照。）。特許文献１に記載のナビゲーションシステムは、全ての着信に対して同様の応答を行い、着信があったことを運転者に通知するようになっている。
【０００３】
また、運転中の車両の現在地、目的地及び経由地をメッセージに合成して応答する構成のナビゲーションシステムも知られている（例えば、特許文献２参照。）。特許文献２に記載のナビゲーションシステムは、地図情報から現在地の地名を取得し、メッセージに合成して応答するものである。
【特許文献１】特開平１１−０８８５２５号公報
【特許文献２】特開２００２−１５６２３１号公報
【発明の開示】
【発明が解決しようとする課題】
【０００４】
しかしながら、従来のナビゲーションシステムでは、緊急を要する着信及び重要な相手からの着信が他から区別されず、着信があったことが全て同等に運転手に通知され、運転手が着信の緊急性又は重要性を識別できないという問題を有していた。上記の通知では、表示された一覧を運転者が自分の意思で確認するまで着信の緊急性又は重要性が識別されない。
【０００５】
例えば、緊急等の電話では、短時間に複数回の着信が集中することがしばしば起こるが、従来のナビゲーションシステムでは、着信の一覧のみが表示され識別できない。そのため、場合によっては数時間経過してから気づくこと、最悪の場合気づかないことさえある。また、重要な顧客等の特別な相手からの着信の場合、即座に対応しなければならないこともあるが、重要性が識別できないため、対応ができなかった。
【０００６】
以上の現状に鑑み、本発明の目的は、運転中にかかってきた電話に対して、緊急性又は重要性を識別可能に運転者に折り返し電話の提案ができるナビゲーションシステムを提供する。
【課題を解決するための手段】
【０００７】
上記の課題を解決すべく、本発明は以下の構成を提供する。
請求項１に係る発明は、ユーザインタフェース及び演算制御処理部を備え、移動体電話機が接続可能なナビゲーションシステムであって、前記ユーザインタフェースが、少なくとも、設定時間及び設定回数を含む設定値をユーザに入力させる入力手段と、スピーカとを有し、前記演算制御処理部が、少なくとも、前記入力手段を介して入力された設定値、前記移動体電話機にあった着信の相手及び着信時間に関する着信情報を含む着信リスト、及び折り返し電話をする相手の折り返し電話先リストを記憶する記憶手段と、前記移動体電話機を制御して、少なくとも回線の接続及び切断並びに音声の再生を行わせ、前記着信情報を前記着信リストに更新して記憶させる移動体電話制御手段と、前記着信リスト中の同一相手からの着信が前記設定時間内に前記設定回数以上あったか否かに基づいて、折り返し電話をすることが必要か否かを判断し、必要と判断したときに必要とされた相手を前記折り返し電話先リストに記憶させる演算処理手段と、着信に応じて前記移動体電話機に再生させる音声の応答メッセージを生成し、前記スピーカに再生させる折り返し電話をすべき旨の提案メッセージを生成する音声生成手段と、を有することを特徴とする。
【０００８】
請求項２に係る発明は、ユーザインタフェース及び演算制御処理部を備え、移動体電話機が接続可能なナビゲーションシステムであって、前記ユーザインタフェースが、少なくとも、特定の着信相手をユーザに入力させる入力手段と、スピーカとを有し、前記演算制御処理部が、少なくとも、前記入力手段を介して入力された前記特定の着信相手の特定者リスト、前記移動体電話機にあった着信の相手及び着信時間に関する着信情報を含む着信リスト、及び折り返し電話をする相手の折り返し電話先リストを記憶する記憶手段と、前記移動体電話機を制御して、少なくとも回線の接続及び切断並びに音声の再生を行わせ、前記着信情報を前記着信リストに更新して記憶させる移動体電話制御手段と、前記着信リスト中の着信相手が前記特定者リスト中のいずれかの前記特定の着信相手であるか否かに基づいて、折り返し電話をすることが必要か否かを判断し、必要と判断したときに必要とされた相手を前記折り返し電話先リストに記憶させる演算処理手段と、着信に応じて前記移動体電話機に再生させる音声の応答メッセージを生成し、前記スピーカに再生させる折り返し電話をすべき旨の提案メッセージを生成する音声生成手段と、を有することを特徴とする。
【０００９】
請求項３に係る発明は、請求項１又は請求項２のナビゲーションシステムにおいて、前記ユーザインタフェースが表示手段を有し、前記折り返し電話をすべき旨の提案するときに、前記折り返し電話先リストの一部又は全部を前記表示手段に表示することを特徴とする。
【００１０】
請求項４に係る発明は、請求項３のナビゲーションシステムにおいて、前記記憶手段が地図情報を記憶し、前記演算制御処理部が、現在位置を取得する現在位置取得手段と、前記地図情報及び前記現在位置に基づいて最寄りの駐車場施設までの経路を探索する経路探索手段と、を有し、前記現在位置から前記駐車場施設までの経路を前記表示手段に表示することを特徴とする。
【発明の効果】
【００１１】
請求項１に係る発明によれば、着信リスト中の同一相手からの着信が設定時間内に設定回数以上あったか否かに基づいて、折り返し電話をすることが必要か否かを判断して提案メッセージを生成するため、短時間に複数回の着信が集中する緊急着信を識別でき、もって、運転中にかかってきた電話に対して、緊急性を識別可能に運転者に折り返し電話の提案ができるナビゲーションシステムを実現することができる。
【００１２】
請求項２に係る発明によれば、着信リスト中の着信相手が特定者リスト中のいずれかの特定の着信相手であるか否かに基づいて、折り返し電話をすることが必要か否かを判断して提案メッセージを生成するため、予め定めた人からの特別着信を識別でき、もって、運転中にかかってきた電話に対して、重要性を識別可能に運転者に折り返し電話の提案ができるナビゲーションシステムを実現することができる。
【００１３】
請求項３に係る発明によれば、上記請求項１又は請求項２の効果に加えて、折り返し電話先リストの一部又は全部を表示手段に表示するため、折り返し電話の相手、着信の緊急性又は重要性の別等を容易に把握することが可能なナビゲーションシステムを実現することができる。
【００１４】
請求項４に係る発明によれば、上記請求項３の効果に加えて、現在位置から駐車場施設までの経路を表示手段に表示するため、短時間に折り返し電話に着手することが可能なナビゲーションシステムを実現することができる。
【発明を実施するための最良の形態】
【００１５】
以下、実施例を示した図面を参照しつつ本発明の実施の形態を説明する。
図１は、本発明によるナビゲーションシステムの一実施例を概略的に示すブロック図である。ナビゲーションシステム１００は、ユーザインタフェース１１０と演算制御処理部１２０とを備え、移動体電話機１０に接続される構成を有し、設定された時間（以下、設定時間という。）内に同一人から設定された回数（以下、設定回数という。）以上の着信があったときに緊急と判断し、特定の相手（以下、特別者という。）からの着信があったときは特別と判断し、折り返し電話をすべき旨の提案をする構成を有する。以下緊急と判断された着信を緊急着信といい、特別と判断された着信を特別着信という。以下、説明の都合上、移動体電話機１０は発信履歴、着信履歴、いわゆる電話帳等の生成及び更新等の所定の機能を有するものとする。
【００１６】
ユーザインタフェース１１０は、折り返し電話を行うか否かの判断に必要な条件等の所定の情報をユーザに入力させる入力手段１１２、表示手段１１１、及びスピーカ１１３を有する。入力手段１１２及び表示手段１１１は、例えばタッチパネル等によって構成される。入力手段１１２は、ユーザに入力を促し、設定時間及び設定回数の設定値、重要な顧客等の特別者に関する情報（以下、特別者情報という。）、等の所定の情報が入力される。
【００１７】
図２は、図１に示すユーザインタフェース１１０の入力手段１１２及び表示手段１１１の一例を示す模式図である。図２（ａ）は入力手段１１２としての設定画面を示し、図２（ｂ）は表示手段１１１としての表示画面を示す模式図である。設定画面２１０には折り返し電話を行うか否かの判断に必要な条件等の情報が入力され、表示画面２２０には折り返し電話を行う相手、ナビゲートに必要な地図画面等が表示される。
【００１８】
設定画面２１０には、２種類のウィンドウ、すなわち、緊急着信設定と特定着信設定のウィンドウ２１１、２１２が表示される。以下、緊急着信設定のウィンドウ２１１を単に緊急着信設定２１１といい、特定着信設定のウィンドウ２１２を単に特定着信設定２１２という。緊急着信設定２１１には、上記の緊急か否かの判断に必要な設定時間及び設定回数の入力フィールド２１３、２１４が表示され、図２（ａ）には設定時間の入力フィールド２１３に分単位で入力する例が示されている。特定着信設定２１２には、上記の特別か否かの判断に必要な特別者の電話番号及び氏名等の２種類の入力フィールド２１５、２１６が表示される。ここで、氏名等とは、氏名、ニックネーム等の電話番号以外の着信相手を特定するその他の情報をいう。図２（ａ）には、電話番号リストに複数の入力フィールド２１５が、氏名リストに複数の入力フィールド２１６が割り当てられている例が示されている。
【００１９】
表示画面２２０には、折り返し電話を行う相手として提案するリスト（以下、折り返し電話先リストという。）の一部又は全部等の所定の情報が表示される。図２（ｂ）には、折り返し電話先リストの一部、すなわち、相手の電話番号及び氏名からなる緊急着信のリスト及び特別着信のリストが表示画面２２０の各ウィンドウ２２１、２２２に表示されている例が示されている。また、図２（ｂ）に示す各ウィンドウ２２１、２２２には、対応するリストの合計件数も表示されている。表示画面２２０には、必要に応じて着信リスト等のその他の情報が表示されるのでもよい。また、表示画面２２０に付図しない操作ボタンが設けられ、このボタンを操作することによって表示を切り替えられるようになっているのでもよい。
【００２０】
演算制御処理部１２０は、図１に示すように、所定の情報を記憶する記憶手段１２１と、移動体電話機１０を制御すると共に所定の情報を記憶手段１２１に記憶させる移動体電話制御手段１２２と、折り返し電話の必要性等の判断及びその他の処理を行う演算処理手段１２３と、個々の着信に応じて移動体電話機１０に再生する音声の応答メッセージを生成する音声生成手段１２４と、現在位置を取得する現在位置取得手段１２５と、現在位置から最寄りの駐車場施設までの経路を探索する経路探索手段１２６と、目的地への到着予定時刻を算出する到着予定時刻算出手段１２７と、を有する。演算制御処理部１２０は、例えば、ロジックＩＣ、ハードディスク、メモリ等を有するように構成される。
【００２１】
記憶手段１２１は、例えばハードディスク等によって構成されるが、メモリを有するのでもよい。図３は、記憶手段に記憶される各リスト及びテーブルについての説明図である。記憶手段１２１には、地図情報、特別者リスト、折り返し電話先リスト、緊急着信設定２１１に入力された設定値からなる緊急着信設定テーブルが記憶される。また、記憶手段１２１には、必要に応じて、着信リスト等のその他の情報が記録されるのでもよい。以下では、説明の都合上、記憶手段１２１には着信リストも記憶されているものとする。
【００２２】
図３（ａ）は、着信リストの一例を表す模式図である。ここで、着信リストとは、移動体電話機１０にあった各着信の相手の電話番号及び着信時刻に関する着信情報からなるリストであり、その他の関連する情報を含むのでもよい。図３（ａ）には、着信リスト３１０が、着信毎に、相手の情報が電話番号３１１によって表され、着信時刻３１２が時間、分、及び秒で表される例が示されている。
【００２３】
図３（ｂ）は、特別者リストの一例を示す模式図である。特別者リスト３２０には、上記の特定の着信相手毎に、電話番号３２１及び氏名３２２が記録される。ここで、登録される特定の着信相手について氏名等が不明で電話番号がわかっている場合は、氏名３２２の欄には「なし」等の不明であることがわかる情報が記録される。また、氏名３２２の欄には、ニックネーム、企業の部署名等その他のデータが入力されるのでもよい。
【００２４】
図３（ｃ）は、折り返し電話先リストの一例を示す模式図である。図３（ｃ）には、折り返し電話先リスト３３０が、折り返し電話をすべき旨の提案を行う相手毎に作成され、電話番号３３１、氏名３３２、対応する相手からの最終着信時刻３３３、折り返し電話の必要性の種別３３４、及び提案した時刻３３５からなる例が示されている。ここで、種別３３４の欄には、判定結果の「緊急」または「特別」が記録される。
【００２５】
図３（ｄ）は、図２（ａ）の緊急着信設定２１１に入力された設定値からなる緊急着信設定テーブルの一例を示す模式図である。緊急着信設定テーブル３４０は、緊急着信であるか否かを判断するための情報である設定時間３４１と、設定回数３４２の情報が記録されている。
【００２６】
移動体電話制御手段１２２は、移動体電話機１０を制御し、少なくとも回線の接続及び切断並びに音声の再生を行わせ、着信リスト３１０に更新して記憶させる。移動体電話制御手段１２２は、移動体電話機１０に着信があった際に、回線を接続させ、所定の音声の応答メッセージを移動体電話機１０に再生し、再生後に回線を切断させ、移動体電話機１０から発信元の電話番号及び着信時刻の情報を取得して着信者リスト３１０に記録し、発信履歴、着信履歴、電話帳内の一覧等の所定の情報も必要に応じて移動体電話機１０から取得する。
【００２７】
演算処理手段１２３は、移動体電話機１０に新たな着信があった後の所定時間内に、この着信が緊急着信及び特別着信のいずれかに該当するか否かの判断を行い、緊急着信及び特別着信のいずれかに該当すると判断したとき、対応する相手を折り返し電話先リスト３３０に記録し、折り返し電話をすべき旨の提案をするために必要な処理を行う。具体的には、この着信時刻から過去に遡って設定時間内に設定回数以上の着信が同一の者からあったときに緊急又は緊急着信と判断し、発信元の電話番号又は氏名が特定者のものと一致するときに特定又は特定着信と判断する。演算処理手段１２３は、また、折り返し電話をすべき旨の提案をするときに表示する画像の作成、他の各構成部とのデータの授受、データの取得に必要な指示、音声及び画像を再生させる指示、各リストの記録及び更新等のその他の処理も行う。
【００２８】
音声生成手段１２４は、運転中の個々の着信に応じて生成する応答メッセージ、折り返し電話をすべき旨の提案を行うときに再生する提案メッセージ、及びその他の必要な音声メッセージを生成する。経路探索手段１２６は、ナビゲーションに必要とされる経路探索機能を有し、目的地までの経路探索に加え、必要に応じて最寄りの駐車場施設までの経路探索等も行う。ここで、最寄りの駐車場施設とは、通常は進行方向に関して最寄りのものをいうが、進行方向の最寄りの駐車場施設が遠い場合等の所定の場合は戻り方向の最寄りのものをも含むものとする。
【００２９】
以下、本発明によるナビゲーションシステム１００の作用について説明する。図４は、本発明によるナビゲーションシステムの作用を説明するためのフローチャートである。以下、説明の都合上、上記の設定時間及び設定回数並びに特別者リストは予め記憶手段１２１に記憶されているものとする。また、予めナビゲーションシステム１００には目的地が設定されているものとする。
【００３０】
まず、移動体電話機１０に着信があったとき、移動体電話制御部１２２の制御によって回線が接続され（ステップS１）、着信に応じて生成された音声の応答メッセージが移動体電話機１０に再生される（ステップS２）。ここで、音声の応答メッセージは、音声生成手段１２４によって作成され、例えば目的地に到着する予定時刻（以下、目的地到着予定時刻という。）等の情報を有する。
【００３１】
ステップS２で応答メッセージが再生されると、回線が切断されたか否かの確認がなされ（ステップS３）、切断の確認が得られたとき、発信元の電話番号及び着信時刻が移動体電話機１０から移動体電話制御部１２２によって取得される（ステップS４）。取得された発信元の電話番号及び着信時刻が着信リスト３１０に記録され（ステップS５）、着信が特別着信であるか否かの判断を行う特別着信処理が行われ（ステップS６）、さらに着信が緊急着信であるか否かの判断を行う緊急着信処理が行われる（ステップS７）。
【００３２】
図５は、図４の応答メッセージを再生するステップS２での処理内容を詳細に説明するためのフローチャートである。ステップS２では、まず、予めナビゲーションシステム１００に設定された目的地と現在時刻に基づいて、目的地到着予定時刻が到着予定時刻算出手段１２７によって算出され（ステップS２１）、目的地到着予定時刻を含む応答メッセージが音声生成手段１２４によって生成される（ステップS２２）。次に、ステップS２２で生成された音声の応答メッセージが移動体電話制御部１２２によって移動体電話機１０に再生される（ステップS２３）。
【００３３】
図６は、音声生成手段が生成する音声の応答メッセージの一例を示す図であり、図６（a）は、上記の応答メッセージの一例を示す図である。応答メッセージとして、図６（a）に示すように、「ただいま、運転中です。XXXには、後YY分で到着する予定です。」等を用いるのでもよい。
【００３４】
図７は、図４に示すステップS６での特別着信処理の処理内容を詳細に説明するためのフローチャートである。ステップS６では、まず、特別者リスト３２０から、特別者の電話番号の一覧が演算処理手段１２３によって取得され（ステップＳ６１）、次に、特別者の氏名の一覧が取得される（ステップＳ６２）。次に、ステップS４で取得された発信元の電話番号に対応する発信者氏名が、移動体電話機１０に保持された電話帳中から移動体電話制御部１２２によって検索される（ステップＳ６３）。次に、検索して得られた発信者氏名がステップＳ６２で取得された特別者の氏名の一覧中のいずれかに一致するか否かが判定される（ステップＳ６４−１）。ステップＳ６４−１で一致した場合、折り返し電話先リスト３３０の電話番号３３１に発信元の電話番号、氏名３３２に発信者氏名、最終着信時刻３３３に着信リスト３１０に記録された最終の着信時刻、種別３３４に特別がそれぞれ記録される（ステップＳ６５）。ステップＳ６４−１で一致しなかった場合、ステップS４で取得された発信元電話番号がステップＳ６１で取得された電話番号の一覧中のいずれかに一致するか否かが判定される（ステップＳ６５）。ステップＳ６４−２で一致した場合、処理はステップＳ６５に進む。ステップＳ６４−２で一致しなかった場合は、特別着信ではないと判断され、ステップS６での処理は終了する。ステップＳ６５で発信元の電話番号、発信者氏名等が折り返し電話先リスト３３０に記録されたとき、最寄りの駐車場施設を検索する駐車場施設検索処理が行われ（ステップＳ６６）、特別着信のリストが表示画面２２０に表示され（ステップＳ６７）、折り返し電話をすべき旨の音声の提案メッセージが音声生成手段１２４によって生成され、スピーカ１１３によって再生され（ステップＳ６８）、現在の時刻が提案時刻３４０に記録される（ステップＳ６９）。図６（ｂ）は、上記の提案メッセージの一例を示す図である。提案メッセージとして、図６（ｂ）に示すように、「R件の緊急着信とS件の特別着信があります。駐車場施設までの経路を表示しました。折り返しお電話をおかけ下さい。」等を用いるのでもよい。
【００３５】
図８は、図７に示すステップS６６での駐車場施設検索処理の処理内容を詳細に説明するためのフローチャートである。ステップS６６では、まず、現在地が現在位置取得手段１２５から演算処理手段１２３によって取得され（ステップＳ６０１）、ステップＳ６０１で取得された現在地に基づいて、ナビゲーションシステム１００が保有する地図情報の中から、最寄りの駐車場施設までの経路が経路探索部１０９によって探索される（ステップＳ６０２）。次に、ステップＳ６０２で探索された最寄りの駐車場施設までの経路が表示部１０４によって表示される（ステップＳ６０３）。
【００３６】
図９は、図４に示すステップS７での緊急着信処理の処理内容を詳細に説明するためのフローチャートである。ステップS７では、まず、設定時間が緊急着信設定テーブル３４０から演算処理手段１２３によって取得され（ステップＳ７１）、次に、設定回数が同様に取得される（ステップＳ７２）。次に、発信元の電話番号と同一の電話番号の着信が設定時間分の過去に遡って着信リスト３１０中に何件記録されているかが演算処理手段１２３によって検索され（ステップS７３）、この数が設定回数以上か否かが判定される（ステップS７４）。ステップS７４で設定回数以上と判定されたとき、発信者に関する情報を取得する発信元情報記録処理が行われる（ステップS７５）。次に、上記で説明した駐車場施設検索処理が行われ（ステップS７６）、緊急着信のリストが表示画面２２０に表示され（ステップＳ７７）、折り返し電話をすべき旨の音声の提案メッセージが音声生成手段１２４によって生成され、スピーカ１１３によって再生され（ステップＳ７８）、現在の時刻が提案時刻３４０に記録される（ステップＳ７９）。一方、ステップS７４で、上記の記録件数が設定回数未満と判定されたとき、ステップS７での処理は終了する。
【００３７】
図１０は、図９に示すステップS７５での発信元情報記録処理の処理内容を詳細に説明するためのフローチャートである。ステップS７５では、まず、発信元の電話番号に対応する発信者の氏名についての検索が、移動体電話機１０に記憶された電話帳内で移動体電話制御部１２２によって行われる（ステップＳ５０１）。次に、ステップＳ５０１での検索によって発信者の氏名が得られたか否かを判定し（ステップS５０２）、氏名が得られた場合、発信者の氏名を折り返し電話先リストに記録し（ステップS５０３）、指名が得られない場合、折り返し電話先リストの対応する氏名の欄に「不明」と記録する（ステップS５０４）。
【００３８】
図１１は、駐車場施設を経過した後に行われる折り返し電話先リストの更新処理を説明するためのフローチャートである。まず、直近に検索した駐車場施設を通過したか否かが、現在位置取得手段１２５からの現在地情報に基づき、演算処理手段１２３によって判断され（ステップＳ１１）、経過するまで繰り返される。ステップＳ１１で経過したと判断された場合、移動体電話機１０に記憶されている発信履歴の一覧が、移動体電話制御部１２２によって取得される（ステップＳ１２）。次に、折り返し電話先リスト中の発信元の電話番号又は発信者の氏名と一致する電話番号又は氏名の発信が発信履歴の一覧中にあるか否かの判断が、リスト中のエントリー毎に、演算処理手段１２３によって行われる（ステップＳ１３）。ステップＳ１３で「ある」と判断され場合、折り返し電話先リスト中の対応する提案時刻が発信の時刻よりも先か否かの判断が行われ（ステップＳ１４）、「先」と判断された場合、該当するエントリーが折り返し電話先リストから削除され（ステップＳ１５）、折り返し電話先リスト中にまだエントリーが残っているか否かが判断される（ステップＳ１６）。ステップＳ１６で「エントリーが残っている」と判断された場合、再度、上記で説明した駐車場施設検索処理で目的地側の最寄りの駐車場施設が検索され（ステップＳ１７）、折り返し電話をすべき旨の提案メッセージがスピーカ１１３によって再生される（ステップＳ１８）。ステップＳ１３で「ない」と判断され場合、ステップＳ１４で「後」と判断された場合、及びステップＳ１６で「エントリーが残っていない」と判断された場合のうちのいずれかの場合、折り返し電話の相手先の削除処理は終了する。
【図面の簡単な説明】
【００３９】
【図１】本発明によるナビゲーションシステムの一実施例を概略的に示すブロック図。
【図２】図１に示すユーザインタフェース１１０の入力手段１１１及び表示手段１１２の一例を示す模式図である。
【図３】記憶手段に記憶される各リスト及びテーブルについての説明図である。
【図４】本発明によるナビゲーションシステムの作用を説明するためのフローチャートである。
【図５】図４の応答メッセージを再生するステップS２での処理内容を詳細に説明するためのフローチャートである。
【図６】音声生成手段が生成する音声の応答メッセージの一例を示す図である。
【図７】図４に示すステップS６での特別着信処理の処理内容を詳細に説明するためのフローチャートである。
【図８】図７に示すステップS６６での駐車場施設検索処理の処理内容を詳細に説明するためのフローチャートである。
【図９】図４に示すステップS７での緊急着信処理の処理内容を詳細に説明するためのフローチャートである。
【図１０】図９に示すステップS７５での発信元情報記録処理の処理内容を詳細に説明するためのフローチャートである。
【図１１】駐車場施設を経過した後に行われる折り返し電話先リストの更新処理を説明するためのフローチャートである。
【符号の説明】
【００４０】
１０  移動体電話機
１００  ナビゲーションシステム
１１０  ユーザインタフェース
１１１  入力手段
１１２  表示手段
１１３  スピーカ
１２０  演算制御処理部
１２１  記憶手段
１２２  移動体電話制御手段
１２３  演算処理手段
１２４  音声生成手段
１２５  現在位置取得手段
１２６  経路探索手段
１２７  到着予定時刻算出手段
２１０  設定画面
２１１、２１２、２２１、２２２  ウィンドウ
２１３、２１４、２１５、２１６  入力フィールド
２２０  表示画面
３１０  着信リスト
３１１、３１２、３２１、３２２、３３１、３３２、３３３、３３４、３３５  リストの欄
３２０  特別者リスト
３３０  折り返し電話先リスト
３４０  緊急着信設定テーブル
３４１、３４２  テーブルの欄
【図１】
2007240452.tif 000003
【図２】
2007240452.tif 000004
【図３】
2007240452.tif 000005
【図４】
2007240452.tif 000006
【図５】
2007240452.tif 000007
【図６】
2007240452.tif 000008
【図７】
2007240452.tif 000009
【図８】
2007240452.tif 000010
【図９】
2007240452.tif 000011
【図１０】
2007240452.tif 000012
【図１１】
2007240452.tif 000013